(57)【要約】【課題】、画像表示装置の表示能力だけでなく、画像供給装置で生成される画像の設定も考慮して適切な画像を要求し表示できるようにする。【解決手段】画像表示装置は、第１のダイナミックレンジの画像を表示する能力を有する場合は、第１のダイナミックレンジの画像を画像供給装置に要求し、第１のダイナミックレンジの画像を表示する能力を有していない場合は、画像表示装置において表示可能な第２のダイナミックレンジの画像を画像供給装置に要求し、画像供給装置は、第１のダイナミックレンジの画像を生成する第１のモードに設定された状態において、画像表示装置から第１のダイナミックレンジの画像が要求された場合には第１のダイナミックレンジの画像を画像表示装置に供給し、画像表示装置から第２のダイナミックレンジの画像が要求された場合には第２のダイナミックレンジの画像を生成し、画像表示装置に供給する。【選択図】図１
2020150412.tif 000002
【特許請求の範囲】
【請求項１】
画像供給装置と通信する通信手段と、
前記通信手段を介して前記画像供給装置から取得した情報に基づき、前記画像供給装置において生成される第１のダイナミックレンジの画像を表示する能力を有するか否かを判定する判定手段と、
前記第１のダイナミックレンジの画像を表示する能力を有する場合は、前記第１のダイナミックレンジの画像を前記画像供給装置に要求し、前記第１のダイナミックレンジの画像を表示する能力を有していない場合は、画像表示装置において表示可能な第２のダイナミックレンジの画像を前記画像供給装置に要求する制御手段と、
前記画像供給装置から取得した画像を表示する表示手段と、を有することを特徴とする画像表示装置。
【請求項２】
前記画像供給装置は、前記通信手段を介して前記画像表示装置により遠隔制御が可能な撮像装置であり、
前記第１のダイナミックレンジの画像および前記第２のダイナミックレンジの画像は、前記画像供給装置により撮像されたライブビュー画像であることを特徴とする請求項１に記載の画像表示装置。
【請求項３】
前記画像供給装置は、前記第１のダイナミックレンジの画像を生成する第１のモードまたは前記第２のダイナミックレンジの画像を生成する第２のモードに切り替え可能であり、
前記制御手段は、前記画像供給装置が前記第２のモードに設定されている場合には、前記画像供給装置に前記第２のダイナミックレンジの画像を要求することを特徴とする請求項１または２に記載の画像表示装置。
【請求項４】
前記制御手段は、前記第１のダイナミックレンジの画像を表示する能力を有していない場合であって、前記画像供給装置が前記第１のモードに設定されている場合には、前記画像供給装置に前記第２のダイナミックレンジの画像を要求することを特徴とする請求項３に記載の画像表示装置。
【請求項５】
前記画像供給装置は、前記第１のダイナミックレンジの画像を生成する第１のモードまたは前記第２のダイナミックレンジの画像を生成する第２のモードに切り替え可能であり、
前記制御手段は、前記第１のダイナミックレンジの画像を表示する能力を有していない場合であって、前記画像供給装置が前記第１のモードに設定されている場合には、前記画像供給装置に前記第１のモードから前記第２のモードに変更するよう要求することを特徴とする請求項１または２に記載の画像表示装置。
【請求項６】
前記画像供給装置は、前記第１のダイナミックレンジの画像を生成する第１のモードまたは前記第２のダイナミックレンジの画像を生成する第２のモードに切り替え可能であり、
前記制御手段は、前記第１のダイナミックレンジの画像を表示する能力を有していない場合であって、前記画像供給装置が前記第１のモードに設定されている場合には、前記画像供給装置に前記第１のダイナミックレンジの画像を要求し、前記画像供給装置から取得した前記第１のダイナミックレンジの画像を前記第２のダイナミックレンジの画像に変換することを特徴とする請求項１または２に記載の画像表示装置。
【請求項７】
前記画像供給装置は、前記第１のダイナミックレンジの画像を生成する第１のモードまたは前記第２のダイナミックレンジの画像を生成する第２のモードに切り替え可能であり、
前記制御手段は、前記画像表示装置の設定が前記第１のダイナミックレンジの画像を表示する能力を有する状態から前記第１のダイナミックレンジの画像を表示する能力を有しない状態に切り替えられた場合、前記画像供給装置に要求する画像を前記第１のダイナミックレンジの画像から前記第２のダイナミックレンジの画像に変更することを特徴とする請求項１または２に記載の画像表示装置。
【請求項８】
前記画像供給装置は、前記第１のダイナミックレンジの画像を生成する第１のモードまたは前記第２のダイナミックレンジの画像を生成する第２のモードに切り替え可能であり、
前記制御手段は、前記画像供給装置は前記第１のモードに設定されているが、前記画像表示装置の設定が前記第１のダイナミックレンジの画像を表示できる設定になっていない場合に、前記画像表示装置の設定を前記第１のダイナミックレンジの画像を表示できる設定に変更することを特徴とする請求項１または２に記載の画像表示装置。
【請求項９】
前記画像供給装置は、前記第１のダイナミックレンジの画像を生成する第１のモードまたは前記第２のダイナミックレンジの画像を生成する第２のモードに切り替え可能であり、
前記制御手段は、前記画像表示装置の設定は前記第１のダイナミックレンジの画像を表示できる設定になっているが、前記画像供給装置が前記第１のモードに設定されていない場合、前記画像供給装置に前記第１のモードに変更するよう要求することを特徴とする請求項１または２に記載の画像表示装置。
【請求項１０】
前記画像供給装置において生成された画像のダイナミックレンジに応じて圧縮方式が異なるデータを受信する受信手段と、
前記画像供給装置から受信したデータの圧縮方式に応じたデコード処理を行うデコード手段と、をさらに有することを特徴とする請求項１から９のいずれか１項に記載の画像表示装置。
【請求項１１】
前記制御手段は、前記通信手段を介して前記画像供給装置に、前記第１のダイナミックレンジの画像または前記第２のダイナミックレンジの画像のライブビューの開始要求を送信した後、前記画像供給装置にライブビュー画像の要求を送信することを特徴とする請求項１から１０のいずれか１項に記載の画像表示装置。
【請求項１２】
前記第１のダイナミックレンジは、前記第２のダイナミックレンジよりも表現可能なダイナミックレンジが広いことを特徴とする請求項１から１１のいずれか１項に記載の画像表示装置。
【請求項１３】
前記第１のダイナミックレンジはＨＤＲ（Ｈｉｇｈ Ｄｙｎａｍｉｃ Ｒａｎｇｅ）であり、前記第２のダイナミックレンジはＳＤＲ（Ｓｔａｎｄａｒｄ Ｄｙｎａｍｉｃ Ｒａｎｇｅ）であることを特徴とする請求項１２に記載の画像表示装置。
【請求項１４】
画像表示装置と通信する通信手段と、
ダイナミックレンジが異なる画像を生成する生成手段と、
第１のダイナミックレンジの画像を生成する第１のモードまたは第２のダイナミックレンジの画像を生成する第２のモードに切り替え可能な切替手段と、
前記切替手段により前記第１のモードに設定された状態において、前記画像表示装置から前記第１のダイナミックレンジの画像が要求された場合には前記生成手段により生成された前記第１のダイナミックレンジの画像を前記画像表示装置に供給し、前記画像表示装置から前記第２のダイナミックレンジの画像が要求された場合には前記生成手段により前記第２のダイナミックレンジの画像を生成し、前記画像表示装置に供給する制御手段と、を有することを特徴とする画像供給装置。
【請求項１５】
前記画像供給装置は、撮像手段を有し、前記通信手段を介して前記画像表示装置により遠隔制御が可能な撮像装置であり、
前記第１のダイナミックレンジの画像および前記第２のダイナミックレンジの画像は、前記撮像手段により撮像されたライブビュー画像であることを特徴とする請求項１４に記載の画像供給装置。
【請求項１６】
前記生成手段は、前記撮像手段により撮像されたＲＡＷ画像を用いて前記第１のダイナミックレンジの画像を生成し、
前記第１のダイナミックレンジの画像に対してダイナミックレンジの変換処理を行うことにより前記第２のダイナミックレンジの画像を生成することを特徴とする請求項１５に記載の画像供給装置。
【請求項１７】
前記生成手段は、前記撮像手段により撮像されたＲＡＷ画像を用いて前記第１のダイナミックレンジの画像および前記第２のダイナミックレンジの画像を生成することを特徴とする請求項１５に記載の画像供給装置。
【請求項１８】
前記生成手段は、前記第２のダイナミックレンジの画像を生成する場合に、所定の輝度より高い階調を優先したダイナミックレンジの変換処理と、所定の輝度より低い階調を優先したダイナミックレンジの変換処理とを実行可能であることを特徴とする請求項１４から１７のいずれか１項に記載の画像供給装置。
【請求項１９】
前記制御手段は、前記生成手段により生成された画像のダイナミックレンジに応じた圧縮方式で圧縮したデータを前記画像表示装置に送信することを特徴とする請求項１４から１８のいずれか１項に記載の画像供給装置。
【請求項２０】
前記生成手段は、前記画像表示装置からライブビューの開始要求を受信した場合に、前記画像表示装置における画像を表示する能力に応じたダイナミックレンジの画像を生成し、
前記制御手段は、前記画像表示装置からライブビュー画像が要求された場合に、前記画像表示装置に前記生成手段により生成されたライビュー画像を送信することを特徴とする請求項１４から１９のいずれか１項に記載の画像供給装置。
【請求項２１】
前記第１のダイナミックレンジは、前記第２のダイナミックレンジよりも表現可能なダイナミックレンジが広いことを特徴とする請求項１４から２０のいずれか１項に記載の画像供給装置。
【請求項２２】
前記第１のダイナミックレンジはＨＤＲ（Ｈｉｇｈ Ｄｙｎａｍｉｃ Ｒａｎｇｅ）であり、前記第２のダイナミックレンジはＳＤＲ（Ｓｔａｎｄａｒｄ Ｄｙｎａｍｉｃ Ｒａｎｇｅ）であることを特徴とする請求項２１に記載の画像供給装置。
【請求項２３】
画像表示装置と画像供給装置とが通信可能に接続されたシステムであって、
前記画像表示装置は、
前記画像供給装置から取得した情報に基づき、前記画像供給装置において生成される第１のダイナミックレンジの画像を表示する能力を有するか否かを判定する判定手段と、
前記第１のダイナミックレンジの画像を表示する能力を有する場合は、前記第１のダイナミックレンジの画像を前記画像供給装置に要求し、前記第１のダイナミックレンジの画像を表示する能力を有していない場合は、画像表示装置において表示可能な第２のダイナミックレンジの画像を前記画像供給装置に要求する制御手段と、
前記画像供給装置から取得した画像を表示する表示手段と、を有し、
前記画像供給装置は、
ダイナミックレンジが異なる画像を生成する生成手段と、
第１のダイナミックレンジの画像を生成する第１のモードまたは第２のダイナミックレンジの画像を生成する第２のモードに切り替え可能な切替手段と、
前記切替手段により前記第１のモードに設定された状態において、前記画像表示装置から前記第１のダイナミックレンジの画像が要求された場合には前記生成手段により生成された前記第１のダイナミックレンジの画像を前記画像表示装置に供給し、前記画像表示装置から前記第２のダイナミックレンジの画像が要求された場合には前記生成手段により前記第２のダイナミックレンジの画像を生成し、前記画像表示装置に供給する制御手段と、を有することを特徴とするシステム。
【請求項２４】
画像供給装置と通信する通信手段を有する画像表示装置の制御方法であって、
前記通信手段を介して前記画像供給装置から取得した情報に基づき、前記画像供給装置において生成される第１のダイナミックレンジの画像を表示する能力を有するか否かを判定するステップと、
前記第１のダイナミックレンジの画像を表示する能力を有する場合は、前記第１のダイナミックレンジの画像を前記画像供給装置に要求し、前記第１のダイナミックレンジの画像を表示する能力を有していない場合は、画像表示装置において表示可能な第２のダイナミックレンジの画像を前記画像供給装置に要求するステップと、
前記画像供給装置から取得した画像を表示するステップと、を有することを特徴とする制御方法。
【請求項２５】
画像表示装置と通信する通信手段と、ダイナミックレンジが異なる画像を生成する生成手段と、を有し、第１のダイナミックレンジの画像を生成する第１のモードまたは第２のダイナミックレンジの画像を生成する第２のモードに切り替え可能な画像供給装置の制御方法であって、
前記第１のモードに設定された状態において、前記画像表示装置から前記第１のダイナミックレンジの画像が要求された場合には前記生成手段により生成された前記第１のダイナミックレンジの画像を前記画像表示装置に供給し、前記画像表示装置から前記第２のダイナミックレンジの画像が要求された場合には前記生成手段により前記第２のダイナミックレンジの画像を生成し、前記画像表示装置に供給するステップを有することを特徴とする制御方法。
【請求項２６】
コンピュータに、請求項２４または２５に記載された制御方法を実行させるためのプログラム。
【請求項２７】
コンピュータに、請求項２４または２５に記載された制御方法を実行させるためのプログラムを記憶したコンピュータによる読み取りが可能な記憶媒体。
【発明の詳細な説明】
【技術分野】
【０００１】
本発明は、画像供給装置と画像表示装置とが接続されたシステムに関する。
【背景技術】
【０００２】
従来のダイナミックレンジよりも広いダイナミックレンジを表示可能な表示装置が登場している。従来の表示装置で表現可能なダイナミックレンジはＳＤＲ（Ｓｔａｎｄａｒｄ Ｄｙｎａｍｉｃ Ｒａｎｇｅ）と呼ばれ、従来の表示装置よりも表現可能なダイナミックレンジが広いものはＨＤＲ（Ｈｉｇｈ Ｄｙｎａｍｉｃ Ｒａｎｇｅ）と呼ばれる。
【０００３】
ＳＤＲ対応（ＨＤＲ非対応）の表示装置に、ＨＤＲ画像を表示すると、高コントラスト部分に「黒潰れ」や「白飛び」が発生し、適正なＨＤＲ画像が表示できない。このため、特許文献１では、再生装置と表示装置とがＨＤＭＩ（登録商標）により接続されシステムにおいて、再生装置が、表示装置が表示可能な画像のダイナミックレンジ（表示能力）を取得し、表示装置の表示能力に合わせて出力する映像のダイナミックレンジを変更している。
【先行技術文献】
【特許文献】
【０００４】
【特許文献１】特開２０１７−２２０６９０号公報
【発明の概要】
【発明が解決しようとする課題】
【０００５】
しかしながら、特許文献１では表示装置の表示能力は考慮しているが、再生装置が異なるダイナミックレンジの画像を生成可能な場合に、再生装置が現在どのようなダイナミックレンジの画像を生成する設定や状態となっているかなどは考慮されていない。
【０００６】
本発明は、上記課題に鑑みてなされ、その目的は、画像表示装置の表示能力だけでなく、画像供給装置で生成される画像の設定も考慮して適切な画像を要求し表示できるようにすることである。
【課題を解決するための手段】
【０００７】
上記課題を解決し、目的を達成するために、本発明は、画像表示装置と画像供給装置とを含むシステムであって、画像表示装置は、第１のダイナミックレンジの画像を表示する能力を有する場合は、第１のダイナミックレンジの画像を画像供給装置に要求し、第１のダイナミックレンジの画像を表示する能力を有していない場合は、画像表示装置において表示可能な第２のダイナミックレンジの画像を画像供給装置に要求し、画像供給装置は、第１のダイナミックレンジの画像を生成する第１のモードに設定された状態において、画像表示装置から第１のダイナミックレンジの画像が要求された場合には第１のダイナミックレンジの画像を画像表示装置に供給し、画像表示装置から第２のダイナミックレンジの画像が要求された場合には第２のダイナミックレンジの画像を生成し、画像表示装置に供給する。
【発明の効果】
【０００８】
本発明によれば、画像表示装置の表示能力だけでなく、画像供給装置で生成される画像の設定も考慮して適切な画像を要求し表示できるようになる。
【図面の簡単な説明】
【０００９】
【図１】本実施形態のシステム構成図。
【図２】本実施形態の画像供給装置の構成を示すブロック図。
【図３】本実施形態の画像表示装置の構成を示すブロック図。
【図４】本実施形態の画像供給装置の処理を示すフローチャート。
【図５】本実施形態の画像表示装置の処理を示すフローチャート。
【発明を実施するための形態】
【００１０】
以下、添付図面を参照して実施形態を詳しく説明する。尚、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
＜システム構成＞まず、図１を参照して、本実施形態のシステム構成について説明する。
【００１２】
本実施形態のシステム１００は、画像を撮影し画像表示装置３００に供給する画像供給装置２００と、画像供給装置２００から画像を受信し表示する画像表示装置３００とが通信可能に接続されている。画像表示装置３００は画像供給装置２００を遠隔制御し、画像表示装置３００が画像供給装置２００で撮影された画像を有線通信手段または無線通信手段を介して受信して表示部に表示する。なお、本実施形態の画像供給装置２００は、通信機能付きのデジタルカメラ、ネットワークカメラ、監視カメラ、医療用カメラ、車載カメラなどの撮像装置、カメラ機能付きのスマートフォンやタブレットＰＣなどの通信装置である。また、本実施形態の画像表示装置３００は、携帯電話やその一種であるスマートフォンなどの通信装置、腕時計型のスマートウォッチやメガネ型のスマートグラスなどのウェアラブルコンピュータ、デスクトップＰＣやタブレットＰＣなどの情報処理装置である。
【００１３】
画像供給装置２００は有線または無線のネットワークを介して接続された画像表示装置３００と各種データを送受信する。画像供給装置２００はネットワークを介して画像表示装置３００にライブビュー画像を送信し、画像表示装置３００は画像供給装置２００から受信したライブビュー画像を表示する。
【００１４】
画像供給装置２００は、撮影した画像（ＲＡＷ画像）をＨＤＲ（Ｈｉｇｈ Ｄｙｎａｍｉｃ Ｒａｎｇｅ）で現像処理することによりＨＤＲ画像（ライビュー画像を含む）を生成することが可能である。また、画像供給装置２００は、ＲＡＷ画像をＳＤＲ（Ｓｔａｎｄａｒｄ Ｄｙｎａｍｉｃ Ｒａｎｇｅ）で現像処理することによりＳＤＲ画像（ライブビュー画像を含む）を生成することが可能である。さらに、画像供給装置２００は、ＨＤＲ画像をＳＤＲ画像に変換するダイナミックレンジ変換処理を行うことが可能である。ＳＤＲは、従来の表示装置が表示可能なダイナミックレンジに対応する階調特性であって、例えば、ＩＴＵ−Ｒ  ＢＴ．７０９という規格で定められている。これに対して、従来の表示装置よりも表示可能なダイナミックレンジが広いＨＤＲは、Ｒｅｃ．ＩＴＵ−Ｒ ＢＴ．２１００という規格で定められている。
【００１５】
また、画像供給装置２００は、画像データの出力先である画像表示装置３００に、ＨＤＲ画像を出力するＨＤＲ撮影モードとＳＤＲ画像を出力する非ＨＤＲ撮影モード（ＳＤＲ撮影モード）のいずれかに設定可能である。画像供給装置２００は、ＨＤＲ撮影モードに設定されている場合には出力先にＨＤＲ画像を出力し、非ＨＤＲモードに設定されている場合には、出力先にＳＤＲ画像を出力することが可能である。
【００１６】
画像供給装置２００は、画像表示装置３００からライブビュー開始要求を受信すると、撮影したＲＡＷ画像をＨＤＲまたはＳＤＲで現像したライブビュー画像を生成し、画像表示装置３００に送信する。また、画像供給装置２００は、ＨＤＲ撮影モードに設定されている場合には、画像表示装置３００からの要求に応じて、ライブビュー画像のダイナミックレンジをＨＤＲとＳＤＲのいずれに設定可能である。画像供給装置２００は、画像表示装置３００からＳＤＲのライブビュー画像が要求された場合は、ダイナミックレンジ変換機能の設定に従うダイナミックレンジ変換処理によってＳＤＲのライブビュー画像を生成する。
【００１７】
画像表示装置３００は、画像供給装置２００が生成するライブビュー画像のダイナミックレンジが切り替え可能な場合には、ライブビューを開始する際に画像供給装置２００に対して受信したいライブビュー画像のダイナミックレンジを指定することが可能である。画像表示装置３００は、画像供給装置２００がＨＤＲ撮影モードに設定され、自身もＨＤＲ画像の表示に対応している場合には、画像供給装置２００にＨＤＲのライブビュー画像を要求する。また、画像表示装置３００は、画像供給装置２００がＨＤＲ撮影モードに設定されているが、自身がＨＤＲ画像の表示に対応していない場合には、画像供給装置２００にＳＤＲのライブビュー画像を要求する。さらに、画像表示装置３００は、画像供給装置２００が非ＨＤＲ撮影モード（ＳＤＲ撮影モードに設定されている場合には、画像供給装置２００にＳＤＲのライブビュー画像を要求する。
【００１８】
＜画像供給装置２００の構成＞次に、図２を参照して、本実施形態の画像供給装置２００の構成および機能について説明する。
【００１９】
制御部２０１は、画像供給装置２００の全体を統括して制御する演算処理装置（ＣＰＵ）であって、後述する不揮発性メモリ２０３に格納されたプログラムを実行することで、後述するリモート撮影時の処理を実現する。なお、制御部２０１が装置全体を制御する代わりに、複数のハードウェアが処理を分担することで、装置全体を制御してもよい。
【００２０】
撮像部２０２は、ズームレンズやフォーカスレンズを含むレンズ群、絞り機能を備えるシャッターを含む。また、撮像部２０２は、被写体像を電気信号に変換するＣＣＤやＣＭＯＳ素子等で構成される撮像素子、撮像素子から出力されるアナログ画像信号をデジタル信号に変換するＡ／Ｄ変換器を有する。撮像部２０２は、制御部２０１の制御により、撮像部２０２に含まれるレンズにより結像された被写体像光を、撮像素子により電気信号に変換し、ノイズ低減処理などを行って、デジタル信号からなる画像データを出力する。
【００２１】
制御部２０１は、画像処理部２０１ａを含む。画像処理部２０１ａは、撮像部２０２により撮像された画像データに対し、画素補間、縮小といったリサイズ処理や色変換処理を行う。また、画像処理部２０１ａは、上記処理を施した静止画データをＪＰＥＧ等により圧縮符号化したり、動画データをＭＰＥＧ２やＨ．２６４等の動画圧縮方式でエンコードして画像ファイルを生成し、記録媒体２０８に記録する。本実施形態の画像供給装置２００では、画像データはＤＣＦ（Ｄｅｓｉｇｎ Ｒｕｌｅ ｆｏｒ Ｃａｍｅｒａ Ｆｉｌｅ  ｓｙｓｔｅｍ）規格に従って、記録媒体２０８に記録される。また、画像処理部２０１ａは、撮像した画像データを用いて所定の演算処理を行い、得られた演算結果に基づき制御部２０１が撮像部２０２のフォーカスレンズや絞り、シャッターを制御することで、ＡＦ（オートフォーカス）処理やＡＥ（自動露出）処理を行う。
【００２２】
また、画像処理部２０１ａは、撮像部２０２から出力されるＲＡＷ画像データをＨＤＲで現像処理することによりＨＤＲのライブビュー画像を生成することが可能である。また、画像処理部２０１ａは、撮像部２０２から出力されるＲＡＷ画像をＳＤＲで現像処理することによりＳＤＲのライブビュー画像を生成することが可能である。
【００２３】
また、制御部２０１は、外部装置としての画像表示装置３００から要求された画像のダイナミックレンジに応じて、画像表示装置３００に出力する画像データのダイナミックレンジをＨＤＲまたはＳＤＲに切り替えることができる。画像処理部２０１ａは、画像表示装置３００からＳＤＲ画像が要求された場合、出力する画像データのダイナミックレンジをＨＤＲからＳＤＲに変換するダイナミックレンジ変換処理を行う。画像処理部２０１ａは、ダイナミックレンジ変換機能の設定に従いダイナミックレンジ変換処理を行うことによってＳＤＲ画像を生成する。
【００２４】
ダイナミックレンジ変換機能は、ＨＤＲ画像をＳＤＲ画像に変換する場合に、ＨＤＲ画像の特定のレンジを優先させてＳＤＲ画像への変換を行い、ＨＤＲ画像における特徴的な情報をＳＤＲ画像にも反映させることができる。ダイナミックレンジ変換機能の設定は、画像供給装置２００においてユーザが変更可能である。画像供給装置２００では、ダイナミックレンジ変換機能として、「ＳＤＲ変換処理１」と「ＳＤＲ変換処理２」が実行可能であるものとする。例えば、ＳＤＲ変換処理１は、ＨＤＲ画像の高輝度側に階調を割り当てることにより所定の輝度より高い階調が表現可能なＳＤＲ変換処理である。ＳＤＲ変換処理２は、ＨＤＲ画像の低輝度側に階調を割り当てることにより所定の輝度より低い階調が表現可能なＳＤＲ変換処理である。
【００２５】
不揮発性メモリ２０３は、電気的に消去・記録可能なメモリであり、例えばＥＥＰＲＯＭ等が用いられる。不揮発性メモリ２０３には、制御部２０１の動作用の定数、プログラム等が記録される。ここでいう、プログラムとは、本実施形態にて後述するリモート撮影時の処理を実行するためのアプリケーションのことである。
【００２６】
作業用メモリ２０４は、制御部２０１の動作用の定数、変数、不揮発性メモリ２０３から読み出したプログラム等を展開する作業領域として使用される。また、作業用メモリ２０４は、撮像部２０２で撮像された画像データを一時的に保持するバッファメモリや、表示部２０６の画像表示用メモリとして使用される。
【００２７】
操作部２０５は、ユーザからの各種操作を受け付ける各種スイッチ、ボタン、タッチパネル等の操作部材からなる。操作部２０５は、例えば、図１（ｂ）および（ｃ）に示すように、画像の撮影を行うシャッターボタン２０５ａや撮影画像の再生を行う再生ボタン２０５ｂ、カメラの各種設定を行うための上下左右のボタンからなる４方向キー２０５ｃなどを含む。また、表示部２０６に一体的に形成されるタッチパネル２０５ｄも操作部２０５に含まれる。また、操作部２０５は、画像供給装置２００の動作モードを静止画撮影モードや動画記録モード（リモート撮影時を含む）や再生モードに変更するモード切替ボタンを含む。また、操作部２０５は、外部装置としての画像表示装置３００との通信を開始するための専用の接続ボタン等を含む。
【００２８】
シャッターボタンは操作途中、いわゆる半押し（撮影準備指示）でオンとなり第１シャッタースイッチ信号ＳＷ１を発生する。第１シャッタースイッチ信号ＳＷ１を受けて、制御部２０１は撮像部２０２を制御することによりＡＦ（オートフォーカス）処理やＡＥ（自動露出）処理、ＡＷＢ（オートホワイトバランス）処理、ＥＦ（フラッシュプリ発光）処理等の動作を開始する。また、シャッターボタンの操作完了、いわゆる全押し（撮影指示）でオンとなり、第２シャッタースイッチ信号ＳＷ２を発生する。制御部２０１は、第２シャッタースイッチ信号ＳＷ２を受けて、撮像部２０２からの信号読み出しから記録媒体２０８に画像データを書き込むまでの一連の撮影処理の動作を開始する。
【００２９】
表示部２０６は、撮影時のビューファインダー画像の表示、撮像撮影した画像の表示、対話的な操作のための文字表示等を行う。表示部２０６は、例えば、液晶ディスプレイ、有機ＥＬディスプレイ等の表示デバイスである。表示部２０６は、画像供給装置２００と一体化された構成であっても、画像供給装置２００に接続された外部装置であってもよい。画像供給装置２００は、表示部２０６と接続することができ、表示部２０６の表示を制御する機能を有していればよい。
【００３０】
時計部２０７は、ユーザが設定した時刻情報、通信部２１０、２１１、２１２を介して取得した時刻情報、電波時計によって捕捉された時刻情報に基づいて時間のカウントを行う。また、時計部２０７は、アナログ時計のようなメカニカル機構から検出機構によって、時刻情報を取得可能であってもよい（この場合、時計部２０７には、アナログ時計からの検出機構を含まれる）。
【００３１】
記録媒体２０８は、撮像部２０２から出力された画像データが記録されたり、制御部２０１により既に記録されている画像ファイルが読み出される。記録媒体２０８は、画像供給装置２００に装着されるメモリカードやハードディスクドライブ等であってもよいし、画像供給装置２００に内蔵されたフラッシュメモリやハードディスクドライブであってもよい。画像供給装置２００は少なくとも記録媒体２０８にアクセスする手段を有していればよい。
【００３２】
通信部２１０、２１１、２１２は、画像表示装置３００などの外部装置と接続するためのインタフェースである。本実施形態の画像供給装置２００は、通信部２１０、２１１、２１２を介して、外部装置とデータの授受を行うことができる。例えば、画像処理部２０１ａで生成された画像データを、通信部２１０、２１１、２１２を介して外部装置に送信することができる。なお、本実施形態では、通信部２１０、２１１、２１２は、ＵＳＢケーブルやＨＤＭＩ（登録商標）、ＩＥＥＥ１３９４などの有線接続インタフェース、ＩＥＥＥ８０２．１１の規格による無線ＬＡＮ（Ｌｏｃａｌ Ａｒｅａ Ｎｅｔｗｏｒｋ）、ＩＥＥＥ８０２．１５の規格によるＢｌｕｅｔｏｏｔｈ（登録商標）、赤外線通信インタフェース、ＷｉｒｅｌｅｓｓＵＳＢなどの無線接続インタフェースを含む。制御部２０１は、通信部２１０、２１１、２１２を制御することで外部装置との無線通信を実現する。
【００３３】
なお、制御部２０１は、例えば、通信部２１０が有線接続インタフェースであり、通信部２１１、２１２が無線通信インタフェースである場合、通信部２１１、２１２による通信が干渉するのを防ぐため、通信部２１１と通信部２１２が同時に通信を行わないように制御する。
【００３４】
また、制御部２０１は、通信部２１０、２１１、２１２を介して接続された画像表示装置３００からライブビューの開始要求と、ダイナミックレンジが指定されたライブビュー画像の送信要を受信し、また、指定されたダイナミックレンジのライブビュー画像を圧縮して画像表示装置３００に送信することができる。画像データは、例えば、ＨＤＲのライブビュー画像は１０ｂｉｔのＹＵＶ４２２のデータがＨ．２６５（ＩＳＯ／ＩＥＣ ２３００８−２ ＨＥＶＣ）に圧縮して生成され、ＳＤＲのライブビュー画像はＪＰＥＧに圧縮して生成される。圧縮方式は、これらに限定されるものではない。
【００３５】
近接無線通信部２１４は、例えば無線通信のためのアンテナと無線信号を処理するため変復調回路や通信コントローラから構成される。近接無線通信部２１４は、変調した無線信号をアンテナから出力し、またアンテナで受信した無線信号を復調することでＩＳＯ／ＩＥＣ１８０９２の規格（いわゆるＮＦＣ：Ｎｅａｒ Ｆｉｅｌｄ Ｃｏｍｍｕｎｉｃａｔｉｏｎ）に従った非接触近接通信を実現する。本実施形態の近接無線通信部２１４は、画像供給装置２００の本体部の側面に配置される。
【００３６】
＜画像表示装置３００の構成＞次に、図３を参照して、本実施形態の画像表示装置３００の構成および機能について説明する。
【００３７】
制御部３０１は画像表示装置３００全体を制御するＣＰＵ（Ｃｅｎｔｒａｌ Ｐｒｏｃｅｓｓｉｎｇ Ｕｎｉｔ）である。不揮発性メモリ３０２は、制御部３０１のＣＰＵが実行する各種の制御プログラムやパラメータを格納するＲＯＭ（Ｒｅａｄ Ｏｎｌｙ Ｍｅｍｏｒｙ）である。ワークメモリ３０３は、制御部３０１のＣＰＵによる各種の処理に必要なプログラムやデータを一時記憶するＲＡＭ（Ｒａｎｄｏｍ Ａｃｃｅｓｓ Ｍｅｍｏｒｙ）である。なお、制御部３０１が装置全体を制御する代わりに、複数のハードウェアが処理を分担することで、装置全体を制御してもよい。
【００３８】
外部記憶装置３０４は画像表示装置３００に内蔵されたハードディスクやメモリカード、あるいは画像表示装置３００に着脱可能なハードディスク、メモリカード、ＵＳＢフラッシュメモリ、ＤＶＤ、ブルーレイディスクなどを含む。外部記憶装置３０４には、制御部３０１が実行する基本的なソフトウェアであるＯＳ（オペレーティングシステム）や、このＯＳと協働して応用的な機能を実現するアプリケーションが格納されている。本実施形態のリモート撮影時における画像表示装置３００の処理は、アプリケーションにより提供されるソフトウェアを読み込むことにより実現される。なお、アプリケーションは画像表示装置３００にインストールされたＯＳの基本的な機能を利用するためのソフトウェアを有しているものとする。なお、画像表示装置３００のＯＳが本実施形態における処理を実現するためのソフトウェアを有していてもよい。本実施形態のアプリケーションは、画像供給装置２００を遠隔制御するアプリケーションを想定している。なお、本実施形態では、画像表示装置３００の処理は、制御部３０１がＯＳやアプリケーションを実行し、各部を制御することにより実現されるが、これに限らず、アプリケーションが通信ＩＦ３０７によりネットワーク３１３を介して接続された外部装置などから供給されてもよい。
【００３９】
操作入力ＩＦ３０５は操作部３１０を介してユーザの操作を受け付けるインタフェースである。操作部３１０は、データを入力するポインティングデバイスやキーボード、タッチパネルなどの入力デバイスである。表示ＩＦ３０６は画像表示装置３００が保持するデータや外部装置から供給されたデータを表示部３１１に表示するインタフェースである。
【００４０】
表示部３１１は液晶デバイスや有機ＥＬデバイスなどの表示デバイスである。表示部３１１は、画像表示装置３００と一体化された構成であっても、画像表示装置３００に接続された外部装置であってもよい。画像表示装置３００は、表示部３１１と接続することができ、表示部３１１の表示を制御する機能を有していればよい。
【００４１】
通信ＩＦ３０７は通信部３１２を介して画像供給装置２００などの外部装置と接続したり、インターネットなどのネットワーク３１３に接続するインタフェースである。通信部３１２は外部装置としての画像供給装置２００の通信部２１０、２１１、２１２と接続し、画像供給装置２００から画像データなどを入力するインタフェースである。
【００４２】
デコード部３０８は、画像供給装置２００から受信した圧縮形式のＨＤＲ画像データおよび／またはＳＤＲ画像データをデコード処理する。デコード処理は、ＨＤＲ画像データおよびＳＤＲ画像データの圧縮方式による。例えば、画像データがＨ．２６５（ＩＳＯ／ＩＥＣ ２３００８−２ ＨＥＶＣ）で圧縮されている場合には、ＹＣｂＣｒ（ＹＵＶ４２２）に変換し、その後、１０ｂｉｔのＢｉｔｍａｐに変換する。また、画像データがＪＰＥＧで圧縮されている場合には、８ｂｉｔのＢｉｔｍａｐに変換する。なお、ＹＣｂＣｒ（ＹＵＶ４２２）以外のＹＵＶフォーマットに変換してもよいし、１０ｂｉｔを超えるビット数のＢｉｔｍａｐに変換してもよい。
【００４３】
システムバス３０９は上述した各部３０１〜３０８を通信可能に接続する。
【００４４】
＜画像供給装置２００の処理＞次に、図４を参照して、本実施形態のリモート撮影時における画像供給装置２００の処理について説明する。
【００４５】
なお、図４の処理は、画像供給装置２００の制御部２０１が不揮発性メモリ２０３に格納されたプログラムを作業用メモリ２０４に展開して実行することで実現される。また、図４では、画像供給装置２００においてリモート撮影のアプリケーションが起動されているものとする。
【００４６】
Ｓ４０１では、制御部２０１は、通信部２１０、２１１、２１２の少なくともいずれかを介して画像表示装置３００の通信部３１２と通信可能に接続する。
【００４７】
Ｓ４０２では、制御部２０１は、画像供給装置２００の設定情報を、画像表示装置３００に送信する。画像供給装置２００の設定情報には、少なくとも画像供給装置２００のＨＤＲ撮影モードの情報が含まれる。以下では、画像供給装置２００の設定情報が途中で変更された場合には、変更されるごとに画像供給装置２００から画像表示装置３００に設定情報を送信するものとする。
【００４８】
Ｓ４０３では、制御部２０１は、ライブビューの開始要求を画像表示装置３００から受信する。
【００４９】
Ｓ４０４では、制御部２０１は、Ｓ４０３で受信したライブビューの開始要求がＨＤＲのライブビュー開始要求であるか否かを判定する。制御部２０１は、ＨＤＲのライブビュー開始要求であると判定した場合は処理をＳ４０５に進め、ＳＤＲのライブビュー開始要求であると判定した場合には処理をＳ４０６に進める。
【００５０】
Ｓ４０５では、制御部２０１は、画像処理部２０１ａにおいてＨＤＲのライブビュー画像を生成する。
【００５１】
Ｓ４０６では、制御部２０１は、ＨＤＲ撮影モードに設定されているか否かを判定する。制御部２０１は、ＨＤＲ撮影モードに設定されていると判定した場合には処理をＳ４０７に進め、ＨＤＲ撮影モードに設定されていないと判定した場合には処理をＳ４１０に進める。
【００５２】
Ｓ４０７では、制御部２０１は、画像供給装置２００のダイナミックレンジ変換機能の設定を判定する。制御部２０１は、画像供給装置２００のダイナミックレンジ変換機能の設定がＳＤＲ変換処理１であると判定した場合には処理をＳ４０８に進め、ＳＤＲ変換処理２であると判定した場合には処理をＳ４０９に進める。
【００５３】
Ｓ４０８では、制御部２０１は、画像処理部２０１ａにおいてＳＤＲ変換処理１として定義されたダイナミックレンジ変換機能の設定に従い、ＨＤＲからＳＤＲへダイナミックレンジ変換処理を行い、ＳＤＲのライブビュー画像を生成する。
【００５４】
Ｓ４０９では、制御部２０１は、画像処理部２０１ａにおいてＳＤＲ変換処理２として定義されたダイナミックレンジ変換機能の設定に従い、ＨＤＲからＳＤＲへダイナミックレンジ変換処理を行い、ＳＤＲのライブビュー画像を生成する。
【００５５】
Ｓ４１０では、制御部２０１は、非ＨＤＲ撮影モード（ＳＤＲ撮影モード）であるので、画像処理部２０１ａにおいてＳＤＲのライブビュー画像を生成する。
【００５６】
Ｓ４１１では、制御部２０１は、画像表示装置３００からライブビュー画像が要求されたか否かを判定する。制御部２０１は、画像表示装置３００からライブビュー画像が要求されたと判定した場合には処理をＳ４１２に進め、画像表示装置３００からライブビュー画像が要求されなかったと判定した場合には処理をＳ４１３に進める。
【００５７】
Ｓ４１２では、制御部２０１は、Ｓ４０５、Ｓ４０８、Ｓ４０９、Ｓ４１０のいずれかで作成したライブビュー画像を画像表示装置３００に送信する。
【００５８】
Ｓ４１３では、制御部２０１は、ライブビューを終了するか否かを判定する。制御部２０１は、ライブビューを終了すると判定した場合には処理を終了し、ライブビューを終了しないと判定した場合には処理をＳ４０４に戻す。
【００５９】
＜画像表示装置３００の処理＞次に、図５を参照して、本実施形態のリモート撮影時における画像表示装置３００の処理について説明する。
【００６０】
なお、図５の処理は、画像表示装置３００のＣＰＵ３０１がＲＯＭ３０２に格納されたプログラムをＲＡＭ３０３に展開して実行することで実現される。また、図５では、画像表示装置３００においてリモート撮影のアプリケーションが起動されているものとする。
【００６１】
Ｓ５０１では、制御部３０１は、通信ＩＦ３０７および通信部３１２を介して画像供給装置２００の通信部２１０、２１１、２１２の少なくともいずれかと通信可能に接続する。
【００６２】
Ｓ５０２では、制御部３０１は、画像供給装置２００から設定情報を受信する。画像供給装置２００の設定情報には、少なくとも画像供給装置２００のＨＤＲ撮影モードの情報が含まれる。
【００６３】
Ｓ５０３では、制御部３０１は、ユーザ操作によりライブビューを開始する指示を受け付けたか否かを判定する。制御部３０１は、ライブビュー開始指示を受け付けたと判定した場合には処理をＳ５０４に進め、ライブビュー開始指示を受け付けていないと判定した場合には、ライブビュー開始指示を受け付けたと判定するまで処理を継続する。
【００６４】
Ｓ５０４では、制御部３０１は、Ｓ５０２で取得した画像供給装置２００の設定情報に基づいて、画像供給装置２００がＨＤＲ撮影モードに設定されているか否かを判定する。制御部３０１は、画像供給装置２００がＨＤＲ撮影モードに設定されていると判定した場合には処理をＳ５０５に進め、画像供給装置２００がＨＤＲ撮影モードに設定されていないと判定した場合には処理をＳ５０７に進める。
【００６５】
Ｓ５０５では、制御部３０１は、画像表示装置３００と表示部３１１がＨＤＲ画像を表示する能力を有するか否かを判定する。制御部３０１は、画像表示装置３００と表示部３１１がＨＤＲ画像の表示能力を有すると判定した場合には処理をＳ５０６に進め、ＨＤＲ画像の表示能力を有していないと判定した場合には処理をＳ５０７に進める。ＨＤＲ画像の表示能力を有するか否かは、画像表示装置３００と表示部３１１がＨＤＲ画像を表示可能であるか否かを判定する必要がある。画像表示装置３００はＣＰＵなどのハードウェア部と、外部記憶装置３０４に記録されたＯＳなどのソフトウェア部を有するが、それぞれがＨＤＲに対応している必要がある。さらに、画像表示装置３００の表示設定がＳＤＲまたはＨＤＲに切り替え可能な場合には、ＨＤＲの表示設定になっている必要がある。また、表示部３１１は、ＨＤＲ画像が入力可能であることと、ＨＤＲ画像の表示に対応していることが必要である。さらに、表示部３１１の表示設定がＳＤＲまたはＨＤＲに切り替え可能な場合には、ＨＤＲの表示設定になっている必要がある。
【００６６】
Ｓ５０６では、制御部３０１は、画像供給装置２００にＨＤＲライブビューの開始要求を送信する。
【００６７】
Ｓ５０７では、制御部３０１は、画像供給装置２００にＳＤＲライブビューの開始要求を送信する。
【００６８】
Ｓ５０８では、制御部３０１は、画像供給装置２００にライブビュー画像を要求する。
【００６９】
Ｓ５０９では、制御部３０１は、画像供給装置２００からライブビュー画像を受信する。
【００７０】
Ｓ５１０では、制御部３０１は、Ｓ５０９で受信したライブビュー画像がＨＤＲ画像であるか否かを判定する。制御部３０１は、Ｓ５０９で受信したライブビュー画像がＨＤＲ画像であると判定した場合には処理をＳ５１１に進め、ＳＤＲ画像であると判定した場合には処理をＳ５１２に進める。
【００７１】
Ｓ５１１では、制御部３０１は、デコード部３０８を制御して、Ｓ５０９で受信したＨＤＲのライブビュー画像をデコード処理する。デコード処理は、ＨＤＲ画像データの圧縮方式による。例えば、画像データがＨ．２６５（ＩＳＯ／ＩＥＣ ２３００８−２ ＨＥＶＣ）で圧縮されている場合には、ＹＣｂＣｒ（ＹＵＶ４２２）に変換し、その後、１０ｂｉｔのＢｉｔｍａｐに変換する。
【００７２】
Ｓ５１２では、制御部３０１は、デコード部３０８を制御して、Ｓ５０９で受信したＳＤＲのライブビュー画像をデコード処理する。デコード処理は、ＳＤＲ画像の圧縮方式による。例えば、画像データがＪＰＥＧで圧縮されている場合には、８ｂｉｔのＢｉｔｍａｐに変換する。
【００７３】
Ｓ５１３では、制御部３０１は、Ｓ５１１またはＳ５１２でデコードしたＨＤＲのライブビュー画像を表示部３１１に表示する。
【００７４】
Ｓ５１４では、制御部３０１は、ライブビューを終了するか否かを判定する。制御部３０１は、ライブビューを終了すると判定した場合には処理を終了し、ライブビューを終了しないと判定した場合には処理をＳ５０８に戻す。
【００７５】
なお、本実施形態では、Ｓ５０５でＨＤＲ画像の表示能力を有していないと判定した場合には、画像供給装置２００がＨＤＲ画像をＳＤＲ画像にダイナミックレンジ変換処理を行う例を説明した。これに対して、画像表示装置３００から画像供給装置２００にＨＤＲ撮影モードから非ＨＤＲ撮影モードに変更する要求を送信し、画像供給装置２００がＲＡＷ画像から生成したＳＤＲのライブビュー画像を画像表示装置３００に送信するように構成してもよい。この場合には、画像供給装置２００で撮像されたＲＡＷ画像からＳＤＲ画像が生成されるため、Ｓ４０８やＳ４０９でダイナミックレンジ変換機能に従って生成された画像とは異なる表示となる。
【００７６】
また、画像表示装置３００は、画像供給装置２００がＨＤＲ撮影モードであるか、非ＨＤＲ撮影モードであるかにかかわらず、画像供給装置２００からＨＤＲ画像を受信し、アプリケーションによりＨＤＲ画像からＳＤＲ画像を生成してもよい。この場合、画像表示装置３００は画像供給装置２００にＨＤＲのライブビュー画像を要求し、アプリケーションによりＳＤＲ画像へのダイナミックレンジ変換処理を行う。
【００７７】
また、画像表示装置３００や表示部３１１のＨＤＲ表示設定が途中で切り替えられ、ＨＤＲ画像が表示できる状態から表示できない状態に変化する場合が考えられる。この場合には、画像表示装置３００が画像供給装置２００に送信するライブビューの開始要求を、ＳＤＲのライブビューの開始要求に変更すればよい。
【００７８】
また、画像供給装置２００はＨＤＲ撮影モードに設定されているが、画像表示装置３００や表示部３１１の表示設定がＨＤＲになっていない場合に、画像表示装置３００の表示設定をＨＤＲに変更する処理を追加してもよい。また、画像表示装置３００や表示部３１１の表示設定はＨＤＲになっているが、画像供給装置２００がＨＤＲ撮影モードに設定されていない場合、画像表示装置３００から画像供給装置２００に、ＨＤＲ撮影モードに変更する要求を送信する処理を追加してもよい。
【００７９】
さらに、画像供給装置２００はＳＤＲ撮影モードに設定されているが、画像表示装置３００や表示部３１１の表示設定がＨＤＲになっている場合に、画像供給装置２００側でＳＤＲからＨＤＲへダイナミックレンジ変換処理を行ってもよい。そして、画像供給装置２００がその変換処理により生成したＨＤＲ画像をライブビュー画像として画像表示装置３００に送信するような構成にしてもよい。なお、このＨＤＲ画像は、前述のＲｅｃ．ＩＴＵ−Ｒ ＢＴ．２１００という規格の所定の伝達関数（ＰＱまたはＨＬＧ）に基づいて取得される画像である。
【００８０】
以上のように、本実施形態によれば、画像表示装置３００の表示能力だけでなく、画像供給装置２００で生成されるダイナミックレンジの画像の設定も考慮して適切な画像を要求し表示できるようになる。画像供給装置２００で生成される画像の設定も考慮して適切な画像を要求し表示できるようになる。
【００８１】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００８２】
発明は上記実施形態に制限されるものではなく、発明の精神及び範囲から離脱することなく、様々な変更及び変形が可能である。従って、発明の範囲を公にするために請求項を添付する。
【符号の説明】
【００８３】
１００…システム、２００…画像供給装置、２０１…制御部、２０２…撮像部、２１０〜２１２…通信部、３００…画像表示装置、３０１…制御部、３０７…通信ＩＦ、３１１…表示部、３１２…通信部、３１３…ネットワーク
【図１】
2020150412.tif 000003
【図２】
2020150412.tif 000004
【図３】
2020150412.tif 000005
【図４】
2020150412.tif 000006
【図５】
2020150412.tif 000007